(57)【特許請求の範囲】
【請求項１】
外枠と、前記外枠の幅方向一端側に開閉可能に軸支され、遊技盤を遊技者に対向する前面に保持する中枠と、前記中枠の幅方向一端側に開閉可能に軸支され、前記遊技盤の前面側を保護する表枠とを備え、所定数の遊技球を機械内部に封入して循環させる封入式遊技機であって、
前記表枠は、
前記遊技盤の前面側に第一の透明板を保持する透明板扉と、
前記透明板扉を前側から覆いかつ前記中枠に押し当てるようにして前記中枠に着脱可能に装着され、前記透明板扉に保持された前記第一の透明板に相対する穴部を備え、前記遊技盤の前面の外周部を前側から覆う前面枠と
を備え、
前記透明板扉を前記中枠の前記一端側に対して開閉可能に取り付ける第一取付部と、
前記前面枠を前記中枠の前記一端側に対して開閉可能に取り付ける第二取付部と、
前記透明板扉を前記中枠に対して前方に開く方向に付勢する付勢手段と、
前記中枠に設けられ、前記透明板扉が前記中枠に対して第一の所定角度を超えて開くのを防止する制限部材と
を備えたことを特徴とする封入式遊技機。
【請求項２】
外枠と、前記外枠の幅方向一端側に開閉可能に軸支され、遊技盤を遊技者に対向する前面に保持する中枠と、前記中枠の幅方向一端側に開閉可能に軸支され、前記遊技盤の前面側を保護する表枠とを備え、所定数の遊技球を機械内部に封入して循環させる封入式遊技機であって、
前記表枠は、
前記遊技盤の前面側に第一の透明板を保持する透明板扉と、
前記透明板扉を前側から覆いかつ前記中枠に押し当てるようにして前記中枠に着脱可能に装着され、前記透明板扉に保持された前記第一の透明板に相対する穴部を備え、前記遊技盤の前面の外周部を前側から覆う前面枠と
を備え、
前記前面枠の幅方向一端部を、前記中枠の前記一端側に回動可能に取り付ける第三取付部と、
前記透明板扉の幅方向一端部を、前記前面枠の前記一端側で、且つ前記第三取付部における前記前面枠の回動中心よりも、前記前面枠の前記一端側とは反対側である他端側にずれた位置に回動可能に取り付ける第四取付部と
を備え、
前記前面枠を前記中枠に対して第二の所定角度で開き、且つ前記透明板扉を前記前面枠に対して回動させることにより、前記透明板扉と前記遊技盤とを平行にした場合、前記透明板扉と前記遊技盤の前面との離間距離は、前記遊技盤上の遊技球が前記透明板扉との隙間から落下しない距離であることを特徴とする封入式遊技機。
【発明の詳細な説明】
【技術分野】
【０００１】
本発明は、遊技球を機械内部に封入して循環させる封入式遊技機に関する。
【背景技術】
【０００２】
従来、遊技機内部に封入された遊技球を繰り返し発射して遊技盤の遊技領域に打ち込むことにより遊技が行われる遊技機及び遊技装置が知られている（例えば特許文献１参照）。遊技領域に設けられた入賞領域に入賞した場合、景品玉の代わりに遊技者に得点が付与される。遊技機の一種であるパチンコ機は、例えば外枠、中枠、表枠を備える。外枠はパチンコ機本体を支持する。中枠は例えば外枠に対して開閉可能に軸支されている。中枠の上半分には遊技盤が着脱可能に固定されている。表枠は例えば中枠に対して開閉可能に軸支されている。表枠の略中央には窓部が設けられている。窓部にはガラス板が取り付けてある。中枠の上半分に固定された遊技盤は、表枠に取り付けられたガラス板によって保護される。
【０００３】
上述のように、表枠とガラス板とは一体化している。それ故、例えば作業者が遊技盤面上で釘調整を行う場合、表枠を開いて遊技盤面を露出させればよい。その他にも、例えば遊技盤面上で球詰まりが発生した場合は、表枠を開いて遊技盤面を露出させ、球詰まりを解除する作業を行えばよい。
【先行技術文献】
【特許文献】
【０００４】
【特許文献１】特開２０１１−１０４４３４号公報
【発明の概要】
【発明が解決しようとする課題】
【０００５】
しかしながら、封入式遊技機は、限られた遊技球を遊技機内で循環させるので、表枠を開放して遊技盤面上での球詰まりを解除した際に、遊技盤面から遊技球が落下し、紛失する虞がある。循環する遊技球数が減少すると、遊技球１個の単位時間当たりの循環回数が増えるので、遊技球が汚れやすくなってしまう。循環する遊技球の総数を管理すれば、エラーが出る要因にもなってしまう。
【０００６】
本発明は、遊技盤面上の球詰まりを解除する際に、遊技球が落下して紛失するのを防止できる封入式遊技機を提供することを目的とする。
【課題を解決するための手段】
【０００７】
本発明の第１態様に係る封入式遊技機は、外枠と、前記外枠の幅方向一端側に開閉可能に軸支され、遊技盤を遊技者に対向する前面に保持する中枠と、前記中枠の幅方向一端側に開閉可能に軸支され、前記遊技盤の前面側を保護する表枠とを備え、所定数の遊技球を機械内部に封入して循環させる封入式遊技機であって、前記表枠は、前記遊技盤の前面側に第一の透明板を保持する透明板扉と、前記透明板扉を前側から覆いかつ前記中枠に押し当てるようにして前記中枠に着脱可能に装着され、前記透明板扉に保持された前記第一の透明板に相対する穴部を備え、前記遊技盤の前面の外周部を前側から覆う前面枠とを備え、前記透明板扉を前記中枠の前記一端側に対して開閉可能に取り付ける第一取付部と、前記前面枠を前記中枠の前記一端側に対して開閉可能に取り付ける第二取付部と、前記透明板扉を前記中枠に対して前方に開く方向に付勢する付勢手段と、前記中枠に設けられ、前記透明板扉が前記中枠に対して第一の所定角度を超えて開くのを防止する制限部材とを備えたことを特徴とする。
【０００８】
第１態様に係る封入式遊技機によれば、表枠は透明板扉と前面枠の二重構造である。透明板扉は第一取付部によって中枠に対して開閉可能に取り付けられている。前面枠は第二取付部よって中枠に対して開閉可能に取り付けられている。それ故、前面枠を開いた場合でも、透明板扉は閉じた状態である。遊技盤面上で球詰まりが発生した場合、前面枠を開いて例えば透明板扉を僅かに動かすことによって、球詰まりが解消する。このとき遊技球が遊技盤上から落下しない程度に開いて作業することにより、遊技球が落下して紛失するのを防止できる。封入式遊技機では特に所定数の遊技球の管理が重要であるので効果的である。
【０００９】
また、前面枠を開くと、第一の透明板は付勢手段によって前方に付勢され、制限部材によって第一の所定角度の位置で止まる。それ故、透明板扉と遊技盤との間に所定の隙間が生じるので、透明板扉と遊技盤との間に詰まった遊技球の位置が変化するので、詰まりを解消できる。さらに透明板扉は制限部材によって中枠に対して第一の所定角度を超えて開かないので、例えば遊技球が透明板扉と遊技盤との間に生じた隙間から落下しないように調整できる。
【００１０】
また、第１態様に係る封入式遊技機では、前記第一の所定角度は、前記透明板扉が前記中枠に対して開いた場合に、前記遊技盤上の遊技球が前記透明板扉との隙間から落下しない角度であるとよい。第一の所定角度を上記のように定義することにより、遊技球が遊技盤から落下するのを確実に防止できる。
【００１１】
また、第１態様に係る封入式遊技機では、前記付勢手段は、前記透明板扉の周端部又は前記中枠に設けられた弾性材であり、前記透明板扉を前記中枠に押し当てて前記前面枠を前記中枠に対して装着した場合、前記弾性材は、前記透明板扉と前記中枠との間に挟まれて圧縮され、前記前面枠を前記中枠に対して開いた場合、前記弾性材の弾性復帰力により、前記透明板扉が前方に付勢されると共に、前記制限部材によって前記所定角度開いた状態で保持されるとよい。弾性材の弾性復帰力を利用することによって、透明板扉を無理なく前方に押し出すことができる。弾性材によって前方に付勢された透明板扉は制限部材によって止まるので、透明板扉が第一の所定角度を超えて開くことがない。さらに弾性材によって前方に付勢された状態で、例えば第一の透明板を叩いて振動を与えることにより、遊技球の詰まりを効果的に解消できる。
【００１２】
また、第１態様に係る封入式遊技機では、前記制限部材は板状の弾性部材であって、かつ前記透明板扉の前記周端部に係止する係止部を備えるとよい。例えば、透明板扉を手前側に大きく開く場合、制限部材が撓むことによって、係止部の係止が外れる。それ故、透明板扉を第一の所定角度を超えて開くことができる。そして、遊技盤の前面が露出するので、例えば遊技盤の前面の点検作業、改修作業が可能となる。
【００１３】
また、本発明の第２態様に係る封入式遊技機は、外枠と、前記外枠の幅方向一端側に開閉可能に軸支され、遊技盤を遊技者に対向する前面に保持する中枠と、前記中枠の幅方向一端側に開閉可能に軸支され、前記遊技盤の前面側を保護する表枠とを備え、所定数の遊技球を機械内部に封入して循環させる封入式遊技機であって、前記表枠は、前記遊技盤の前面側に第一の透明板を保持する透明板扉と、前記透明板扉を前側から覆いかつ前記中枠に押し当てるようにして前記中枠に着脱可能に装着され、前記透明板扉に保持された前記第一の透明板に相対する穴部を備え、前記遊技盤の前面の外周部を前側から覆う前面枠とを備え、前記前面枠の幅方向一端部を、前記中枠の前記一端側に回動可能に取り付ける第三取付部と、前記透明板扉の幅方向一端部を、前記前面枠の前記一端側で、且つ前記第三取付部における前記前面枠の回動中心よりも、前記前面枠の前記一端側とは反対側である他端側にずれた位置に回動可能に取り付ける第四取付部とを備え、前記前面枠を前記中枠に対して第二の所定角度で開き、且つ前記透明板扉を前記前面枠に対して回動させることにより、前記透明板扉と前記遊技盤とを平行にした場合、前記透明板扉と前記遊技盤の前面との離間距離は、前記遊技盤上の遊技球が前記透明板扉との隙間から落下しない距離であることを特徴とする。
【００１４】
第２態様に係る封入式遊技機によれば、表枠が透明板扉と前面枠の二重構造である。透明板扉は第四取付部によって前面枠に対して開閉可能に取り付けられている。前面枠は第三取付部によって中枠に対して開閉可能に取り付けられている。前面枠を開いた場合、透明板扉は閉じた状態である上、透明板扉は遊技盤の前面から僅かに離れる。それ故、遊技盤面上で球詰まりが発生した場合、球詰まりが解消する。例えば透明板扉の位置を遊技球が遊技盤上から落下しない程度に調整することにより、遊技球が落下して紛失するのを防止できる。封入式遊技機では特に所定数の遊技球の管理が重要であるので効果的である。
【００１５】
また、前面枠を第二の所定角度で開くと、透明板扉と遊技盤とを平行にした場合に、透明板扉と遊技盤の前面との離間距離は所定距離である。所定距離になることで、透明板扉と遊技盤との間に詰まった遊技球の位置が変化するので、詰まりを解消できる。さらに所定距離に保持することにより、遊技球が透明板扉と遊技盤との間に生じた隙間から落下するのを防止できる。
【００１６】
また、第２態様に係る封入式遊技機では、前記穴部には第二の透明板が保持されているとよい。第二の透明板は第一の透明板の前側に位置するので、第一の透明板を保護できる。第二の透明板で保護できるので、第一の透明板を薄くして軽量化することも可能である。第一の透明板が薄くなることで、振動を付与し易くなるので、第一の透明板に接触する遊技球に振動を付与し易くなる。それ故、遊技球の詰まりを簡単に解消できる。
【図面の簡単な説明】
【００１７】
【図１】パチンコ機１の正面図である。
【図２】外枠１１に対して中枠１２と前面枠３０とを夫々開いた状態のパチンコ機１の斜視図である。
【図３】外枠１１に対して中枠１２と前面枠３０とガラス扉４０とを夫々開いた状態のパチンコ機１の斜視図である。
【図４】遊技盤２の斜視図である。
【図５】中枠１２の斜視図である。
【図６】前面枠３０の裏面側から見た斜視図である。
【図７】ガラス扉４０の斜視図である。
【図８】前面枠３０を閉じた状態における遊技盤２とガラス扉４０との離間状態を示す図である。
【図９】前面枠３０を開いた状態における遊技盤２とガラス扉４０との離間状態を示す図である。
【図１０】第１変形例における前面枠１３０の裏面側から見た斜視図である。
【図１１】第２変形例における前面枠２３０を開く場合のガラス扉２４０の挙動を示す遷移図である。
【図１２】第３変形例であるパチンコ機３００の斜視図（前面枠３０を開いた状態）である。
【発明を実施するための形態】
【００１８】
以下、本発明の一実施形態であるパチンコ機１について、図面を参照して説明する。以下説明において、図１の紙面手前側、紙面奥行き側を、夫々、パチンコ機１の前面側、背面側とする。パチンコ機１は本発明の封入式遊技機の一例である。封入式遊技機とは、例えば所定数の遊技球を機械内部に封入して循環させる遊技機である。
【００１９】
先ず、パチンコ機１の全体構成について、図１〜図３を参照して説明する。図１に示すパチンコ機１は例えばホールの島設備（図示略）等に設置される。図２に示すように、パチンコ機１は、例えば外枠１１、中枠１２、表枠１６（図１参照）等を少なくとも備える。図２に示すように、外枠１１はパチンコ機１の機械本体を支持する。外枠１１は例えば正面視略長方形状である。中枠１２は外枠１１の遊技者に対向する前面側に設けられている。中枠１２は外枠１１に対して略水平に開閉可能に軸支されている。例えば中枠１２の左端部が軸支されているので、右端部が自由端部である。なお中枠１２の右端部を外枠１１に対して軸支されたものであれば、左端部が自由端部となる。中枠１２は例えば正面視略長方形状（図５参照）である。中枠１２の上半分には遊技盤２（図３参照）が着脱可能に固定されている。なお遊技盤２の構造については後述する。
【００２０】
図１に示すように、表枠１６は、中枠１２の前面上半分に対応する位置に開閉可能に設けられている。図２に示すように、表枠１６は前面枠３０とガラス扉４０の二重構造である。ガラス扉４０はガラス板４１を保持する。ガラス板４１は遊技盤２に対向する位置に配置されている。ガラス扉４０の左端部は、中枠１２の左端部に対して開閉可能に軸支されている（図２，図３参照）。前面枠３０は穴部３１を備える。穴部３１は遊技盤２に対向する位置にある。穴部３１は例えば正面視円形状である。前面枠３０は例えば遊技盤２の外周部分を前方から覆う。前面枠３０の前面の左右両隅部にはスピーカ３８，３９（図１参照）が夫々設けられている。
【００２１】
また、図１，図２に示すように、中枠１２の前面下半分には、操作ユニット１５、発射ハンドル１４、鍵穴２１等が設けられている。操作ユニット１５は、操作台１５Ａ、ディスプレイ１５Ｂ等を備える。操作台１５Ａは前方に突出する略直方体状である。ディスプレイ１５Ｂは例えばタッチパネル式の液晶ディスプレイである。ディスプレイ１５Ｂは、例えば、持球数の情報、金額情報（カード等の記憶媒体に記憶された残額等）、貯球情報（景品と交換せずに遊技店側に貯蓄した遊技球数等）等の遊技情報を表示する。それ故、遊技者は実際の遊技球の払い出しがなくても球数を常時確認できる。更にディスプレイ１５Ｂは遊技者や遊技店の店員等に対してエラーの発生を含む各種情報を表示可能である。発射ハンドル１４は操作台１５Ａの右端側下方に設けられている。発射ハンドル１４は発射機（図示略）による遊技球の発射を調整する。
【００２２】
また、鍵穴２１は中枠１２の前面における操作台１５Ａの上部右側に設けられている。鍵穴２１の背面には例えばシリンダ錠（図示略）が設けられている。シリンダ錠は例えば中枠１２を外枠１１に、更に前面枠３０を中枠１２に対して着脱可能に夫々固定する。例えば鍵穴２１に鍵（図示略）を挿入し、鍵を反時計回りに回転させると、外枠１１に対して固定されていた中枠１２が略水平方向に回動可能となる。その反対に、挿入された鍵を時計回りに回転させると、外枠１１に対して固定されていた前面枠３０が略水平方向に回動可能となる。
【００２３】
また、図２に示すように、中枠１２の裏面側には、例えば制御基盤、サブ統合基盤、音基盤等の各種基盤が組み付けられている。これら各種基盤は例えばセンターボックス８１、基盤ボックス８２等によって覆われている。センターボックス８１及び基盤ボックス８２は例えば樹脂製の透明部材である。中枠１２の裏面側には、更に図示しない遊技球通路、発射機、研磨機等の各種機械が組み付けられている。研磨機はパチンコ機１を循環する遊技球の表面を研磨する為の機械である。
【００２４】
次に、遊技盤２について、図４を参照して説明する。遊技盤２は例えば正面視長方形状である。遊技者が発射ハンドル１４を操作すると、発射機（図示略）から発射された遊技球が遊技盤２を流下する。遊技盤２の前面には、例えば釘９３、外レール３、内レール１３、遊技領域４等が設けられている。遊技領域４は例えば内レール１３に囲まれた正面視略円形状である。遊技領域４の略中央には特別図柄表示装置５が設けられている。特別図柄表示装置５は例えばＬＣＤで構成された特別図柄表示画面、各種ランプおよびＬＥＤを備えている。特別図柄表示装置５の下方には特別図柄始動電動役物７が設けられている。特別図柄始動電動役物７の左右には普通図柄始動ゲート８，９が夫々設けられている。普通図柄始動ゲート８の左側方には普通入賞口６が設けられている。特別図柄始動電動役物７の下方には大入賞口１０が設けられている。大入賞口１０の下方にはアウト口８５が設けられている。アウト口８５は何れの入賞口にも入賞しなかった遊技球を回収する。なお遊技盤２は板部材に限られず、例えばアクリル製のものでもよい。
【００２５】
次に、外枠１１の構造について、図２を参照して説明する。外枠１１は、上柱部１１Ａ、右柱部１１Ｂ、左柱部１１Ｃ、下柱部１１Ｄを備え、正面視略長方形状である。下柱部１１Ｄは、他の柱部１１Ａ〜１１Ｃよりもやや前方へ突出している。それ故、下柱部１１Ｄは他の柱部よりも高い強度を備えるので、土台としても機能する。外枠１１の左角部には上ヒンジ１７が設けられている。外枠１１の左角部は上柱部１１Ａと左柱部１１Ｃとが連結する角部である。上ヒンジ１７は係合穴（図示略）を備える。この係合穴には、後述する中枠１２の上ヒンジ２４から上方に突出する凸部２５が係合する。下柱部１１Ｄの上面の左端側には下ヒンジ３０が設けられている。下ヒンジ３０は軸ピン（図示略）を備える。軸ピンは上方に突出する。この軸ピンには、後述する中枠１２の左下角部に固定された掛け部２９の係合穴（図示略）が係合する。それ故、中枠１２は上ヒンジ１７と下ヒンジ３０により外枠１１に対して回動可能に軸支される。
【００２６】
次に、中枠１２の構造について、図５を参照して説明する。中枠１２は、上柱部１２Ａ、右柱部１２Ｂ、左柱部１２Ｃ、下柱部１２Ｄを備え、正面視略長方形状である。これら柱部１２Ａ〜１２Ｄは例えば金属製部材である。上柱部１２Ａ、右柱部１２Ｂ、左柱部１２Ｃは細長の長方形状である。下柱部１２Ｄは正面視略長方形状である上、他の柱部１２Ａ〜１２Ｃよりも上下方向に幅広の面積を有する。下柱部１２Ｄの前面側には、上述した操作ユニット１５、発射ハンドル１４、鍵穴２１（図１参照）等が夫々取り付けられる。上柱部１２Ａの直下であって右柱部１２Ｂと左柱部１２Ｃとの間には取付板５０が設けられている。取付板５０の上部における左右の幅方向略中央には、遊技盤保持部材６０が固定されている。遊技盤保持部材６０は例えば板バネであり、遊技盤２の上端部を位置決め保持する。右柱部１２Ｂの上下の各位置には、固定レバー６２，６３が各々設けられている。左柱部１２Ｃの上下の各位置には、固定レバー６４，６５が各々設けられている。固定レバー６２〜６５は垂直位置と水平位置との間において回動可能である。固定レバー６２〜６５は例えば水平位置に倒すことによって、中枠１２の前面略中央に位置決めされた遊技盤２を保持できる。
【００２７】
また、上柱部１２Ａの前面の最左端側には上ヒンジ２４が固定されている。上ヒンジ２４は前方に突出する平面視略半円形状である。上ヒンジ２４は凸部２５、軸ピン２６を備える。凸部２５は上ヒンジ２４の上面に設けられている。凸部２５は外枠１１の上ヒンジ１７の係合穴（図示略）に係合する。従って、中枠１２の左端側上部は、外枠１１の上ヒンジ１７を中心に開閉可能に軸支される。
【００２８】
一方、軸ピン２６は上ヒンジ２４の下面に設けられている。軸ピン２６は下方に延設されている。軸ピン２６は、前面枠３０の後述する軸支部３４の軸支穴３４Ａ（図６参照）と、ガラス扉４０の後述する軸支端部４４の軸支穴４５（図７参照）とに各々挿入される。従って、上ヒンジ２４は、前面枠３０の左端側の上部と、ガラス扉４０の左端側の上部とを夫々軸支する。
【００２９】
さらに、左柱部１２Ｃの上下方向略中央の位置には、中ヒンジ２７が固定されている。中ヒンジ２７は軸ピン２８を備える。軸ピン２８は上方に延設されている。軸ピン２８は、前面枠３０の後述する軸支部３５の軸支穴３５Ａ（図６参照）と、ガラス扉４０の後述する軸支端部４４の軸支穴４６（図７参照）とに各々挿入される。従って、中ヒンジ２７は、前面枠３０の左端側下部と、ガラス扉４０の左端側下部とを夫々軸支する。即ち、上ヒンジ２４と中ヒンジ２７は、前面枠３０とガラス扉４０とを開閉可能に夫々軸支する。
【００３０】
また、下柱部１２Ｄの前面の最左端側には、掛け部２９が設けられている。掛け部２９は前方に延出する板形状を備える。掛け部２９は係合穴２９Ａを備える。係合穴２９Ａは、外枠１１の上述の下ヒンジ３０の軸ピン（図示略）に係合する。従って、中枠１２の左端側下部は、外枠１１の下ヒンジ３０を中心に開閉可能に軸支される。
【００３１】
さらに、上柱部１２Ａの前面の右端側には、回動制限部材７０が留め具７８（図８参照）で固定されている。回動制限部材７０は例えば板バネである。回動制限部材７０は、前面枠３０が開いた状態で、ガラス扉４０のガラス板４１が遊技盤２から所定距離（Ａ１）を超えて離間しないように、ガラス扉４０の回動を制限する。
【００３２】
ここで、回動制限部材７０について、図９を参照して説明する。回動制限部材７０は、固定部７１、水平部７２、係止部７３等を備える。固定部７１は、中枠１２の上柱部１２Ａに当接して固定される部位である。水平部７２は固定部７１の下端部から前方に向かって略水平に延設された部位である。係止部７３は水平部７２の前端部から中枠１２側に折り返し、側面視Ｖ字状の折曲部７４を備えた部位である。例えば前面枠３０を開いた状態で、ガラス扉４０を開こうとした場合、ガラス扉４０が中枠１２に対して例えば所定角度αだけ開いた位置で、係止部７３に対してガラス扉４０の上端部が係止する。それ故、ガラス扉４０の回動が制限される。更にガラス扉４０を開く方向に回動すれば、係止部７３は上方に撓むので、ガラス扉４０の上端部が係止部７３を乗り越え前方に移動可能となる。それ故、ガラス扉４０の回動制限は解除される。なお回動制限部材７０によるガラス扉４０の回動制限の効果については後述する。
【００３３】
次に、前面枠３０の構造について、図１，図６を参照して説明する。前面枠３０は正面視略長方形状である。前面枠３０は中央に穴部３１を備える。穴部３１は正面視円形状である。穴部３１は前後方向に貫通している。図６に示すように、前面枠３０の左端部には、軸支端部３３が設けられている。軸支端部３３は上下方向に延設されている。軸支端部３３は軸支部３４，３５を備える。軸支部３４は軸支端部３３の上端部に設けられている。軸支部３５は軸支端部３３の下端部に設けられている。軸支部３４，３５は例えば略直方体のブロック状である。軸支部３４は軸支穴３４Ａを備える。軸支穴３４Ａは、軸支部３４を上下方向に貫通する。軸支部３５は軸支穴３５Ａを備える。軸支穴３５Ａは、軸支部３５を上下方向に貫通する。
【００３４】
次に、ガラス扉４０の構造について、図７を参照して説明する。ガラス扉４０は正面視略長方形状である。ガラス扉４０は、ガラス板４１、保持枠４２、支持部４３、軸支端部４４、弾性部材４８等を備える。ガラス板４１は正面視略長方形状であるが、形状については限定されない。保持枠４２はガラス板４１を保持する枠部材である。保持枠４２の形状はガラス板４１の形状に対応している。保持枠４２は例えば金属製部材である。支持部４３は保持枠４２の左端部に設けられている。支持部４３は正面視縦長の長方形状の板部材である。軸支端部４４は支持部４３を介して保持枠４２の左端部に設けられている。軸支端部４４は例えば上下方向に延出する略円柱状である。軸支端部４４は軸支穴４５，４６を備える。軸支穴４５は、軸支端部４４の上端から軸線に沿って下方に延出している。軸支穴４６は、軸支端部４４の下端から軸線に沿って上方に延出している。弾性部材４８は、例えば保持枠４２の右端部であって、中枠１２に対向する面に沿って設けられている。弾性部材４８は弾性を有する材質であれば何でもよく、例えばゴム、樹脂等でもよい。またガラス扉４０を前方に付勢するものであれば、弾性部材以外の部材（例えばバネ等）であってもよい。
【００３５】
次に、中枠１２に対する前面枠３０とガラス扉４０との回動構造について、図２，図３を参照して説明する。図２に示すように、前面枠３０の軸支部３４，３５の間に対して、ガラス扉４０の軸支端部４４が挿入されて配置されている。軸支部３４の軸支穴３４Ａ（図６参照）には、軸支端部４４の軸支穴４５（図７参照）が対向している。軸支部３５の軸支穴３５Ａ（図６参照）には、軸支端部４４の軸支穴４６（図７参照）が対向している。軸支穴３４Ａと軸支穴４５とに対して、上ヒンジ２４の軸ピン２６が上方から下方に挿入されている。軸支穴３５Ａと軸支穴４６に対して、中枠１２の中ヒンジ２７の軸ピン２８が下方から上方に挿入されている。従って、中枠１２に対して、前面枠３０とガラス扉４０が夫々回動可能となっている。これにより、例えば、前面枠３０のみを開いた場合、ガラス扉４０は回動せずにその位置に残って保持される。
【００３６】
次に、前面枠３０を閉じた状態におけるガラス扉４０の位置について説明する。図８に示すように、前面枠３０を中枠１２に対して閉じた状態では、ガラス扉４０は前面枠３０によって中枠１２側に押し込まれる。前面枠３０がシリンダ錠によって中枠１２に対して固定された状態では、ガラス扉４０の弾性部材４８は、中枠１２の右柱部１２Ｂの前面に押し当てられて圧縮された状態である。遊技盤２の盤面とガラス扉４０の背面（遊技盤２に対向する面）との離間距離を例えばＡ１とする。なおＡ１は遊技盤２の盤面上の役物等の構造物（例えば外レール３）の高さを考慮する。例えば遊技盤２の盤面上をガラス板４１との間において遊技球が支障なく流下できるように決定する。ガラス扉４０は中枠１２側に押し込まれているので、回動制限部材７０の係止部７３と、ガラス扉４０の上端部との間は離間している。なおこの状態では、ガラス扉４０は前面枠３０によって中枠１２側に押し込まれた状態であるのでガラス扉４０を強く位置決め固定できる。
【００３７】
次に、遊技盤２の盤面上において球詰まりが発生した場合の球詰まり解除作業について説明する。遊技者の遊技中に、遊技盤２の盤面上において球詰まりが生じる場合がある。役物の構造物に多数の遊技球が集中すると、例えば構造物上に遊技球が乗り上げてしまい、図８の状態において、ガラス扉４０のガラス板４１と遊技盤２との間に、複数の遊技球が詰まってしまう場合がある。この場合、ホール作業者は球詰まりの解除作業を行う。ホール作業者は、鍵穴２１に鍵を差し込み、例えば時計周りに回す。すると、前面枠３０の中枠１２に対する固定は解除され、前面枠３０は回動可能となる。ホール作業者は前面枠３０を前方に回動させる。圧縮された弾性部材４８の弾性復帰力により、ガラス扉４０は前方に押し出される。
【００３８】
図９に示すように、ガラス扉４０は前方に押し出されて前方に回動する。ガラス扉４０の上端部は回動制限部材７０の係止部７３に係止するので、ガラス扉４０はそれ以上前方には回動しない。このときのガラス扉４０の回動角度をαとする。ガラス扉４０は、弾性部材４８の弾性復帰力により、回動制限部材７０の係止部７３に接触している。遊技盤２の盤面とガラス扉４０との離間距離はＡ１からＡ２となる。回動角度をαとしたときに、離間距離がＡ２となるように調整されている。Ａ２はＡ１よりも長い。Ａ２は、少なくとも遊技盤２とガラス扉４０との間から遊技球が落下しない程度の距離である。遊技盤２の盤面とガラス扉４０との離間距離がＡ１からＡ２に変化するので、ガラス扉４０のガラス板４１と遊技盤２のとの間に詰まった遊技球の位置関係が変化する。これにより球詰まりを自動的に解除できる。
【００３９】
それでも球詰まりが解除できなかった場合、例えばガラス扉４０を軽く叩いて振動を付与することによって、球詰まりを確実に解除できる。遊技盤２の盤面とガラス扉４０との離間距離はＡ２であるので、遊技盤２から遊技球が落下して紛失する虞もない。これにより、封入式のパチンコ機１において、機械内部を循環する遊技球が紛失することなく、球詰まりを解除できる。また球数を管理するパチンコ機１であれば、球数不足によるエラーが生じることもない。さらに球数減少による遊技球の汚れ易さも解消できる。
【００４０】
なお、例えば、ガラス扉４０を手前側に大きく開く必要がある場合、ガラス扉４０の上端部が回動制限部材７０の係止部７３を押し上げる。係止部７３が上方に撓むことによって、ガラス扉４０の上端部が係止部７３を乗り越える。ガラス扉４０の回動制限は解除される。従って、ガラス扉４０を回動角度αを超えて開くことができる。遊技盤２の前面が露出するので、例えば遊技盤２の前面の点検作業、改修作業が可能となる。
【００４１】
以上説明したように、本実施形態のパチンコ機１は、例えば所定数の遊技球を機械内部に封入して循環させる封入式パチンコ機である。パチンコ機１は、外枠１１、中枠１２、表枠１６等を備える。表枠１６は前面枠３０とガラス扉４０との二重構造である。中枠１２は外枠１１に対して上ヒンジ１７、下ヒンジ３０によって開閉可能に軸支されている。前面枠３０は、中枠１２の上ヒンジ２４の軸ピン２６と、中ヒンジ２７の軸ピン２８とに開閉可能に軸支されている。ガラス扉４０も、中枠１２の上ヒンジ２４の軸ピン２６と、中ヒンジ２７の軸ピン２８とに開閉可能に軸支されている。
【００４２】
即ち、前面枠３０、ガラス扉４０は互いに独立して開閉可能である。これにより例えば、遊技盤２の盤面上において球詰まりが発生した場合、前面枠３０のみを開く。ガラス扉４０は閉じた状態のままであるので、遊技盤２の盤面上から遊技球が落下する虞がない。その状態で例えばガラス扉４０を前方に僅かに回動させる。この場合、遊技盤２の盤面とガラス扉４０との離間距離がＡ１からＡ２に変化するので、ガラス板４１と遊技盤２との間に球詰まりを起こした複数の遊技球の位置関係が変化する。これにより球詰まりを簡単に解除できる。これにより、封入式のパチンコ機１において、機械内部を循環する遊技球が紛失することなく、球詰まりを解除できる。
【００４３】
また本実施形態は特に、ガラス扉４０の右端部の中枠１２側の面に沿って弾性部材４８を設けている。弾性部材４８はガラス扉４０を中枠１２に対して前方に開く方向に付勢する。中枠１２の上柱部１２Ａの前面には、回動制限部材７０を設けている。回動制限部材７０はガラス扉４０の上端部に係止することにより、ガラス扉４０が中枠１２に対して回動角度αを超えて開くのを防止する。回動角度αを遊技盤２の盤面上の遊技球がガラス扉４０との隙間から落下しない角度にするとよい。それ故、遊技盤２から遊技球が落下して紛失する虞がない。
【００４４】
本発明は、以上詳述した実施形態に限定されるものではなく、本発明の要旨を逸脱しない範囲内において種々の変更が可能である。例えば以下の３つの変形例が可能である。第１〜第３変形例について順に説明する。
【００４５】
第１変形例について、図１０を参照して説明する。上記実施形態では、ガラス扉４０は、中枠１２の上ヒンジ２４の軸ピン２６と、中枠１２の中ヒンジ２７の軸ピン２８とに軸支されている（図２参照）。例えばガラス扉４０は中枠１２ではなく前面枠１３に軸支させてもよい。第１変形例は、前面枠１３０を備える。前面枠１３０は上記実施形態の前面枠３０（図６参照）とほぼ同じ形状を備える。軸支端部３３の軸支部３４は、軸支穴３４Ａ、軸ピン３４Ｂを備える。軸支穴３４Ａは軸支部３４の上部から中央部まで延設されている。軸ピン３４Ｂは軸支部３４の下部から下方に延設されている。軸支穴３４Ａと軸ピン３４Ｂとは互いに同軸上である。軸支端部３３の軸支部３５は、軸支穴３５Ａ、軸ピン３５Ｂを備える。軸支穴３５Ａは軸支部３５の下部から中央部まで延設されている。軸ピン３５Ｂは軸支部３４の上部から上方に延設されている。軸支穴３５Ａと軸ピン３５Ｂとは互いに同軸上である。そして、前面枠１３０の軸ピン３４Ｂと軸ピン３５Ｂとを、例えば図７のガラス扉４０の軸支端部４４の軸支穴４５，４６に各々挿入して軸支させる。これにより上記実施形態と同じ効果を得ることができる。また上ヒンジ２４の軸ピン２６と、中枠１２の中ヒンジ２７の軸ピン２８とにかかる負荷を軽減できる。
【００４６】
第２変形例について、図１１を参照して説明する。第１変形例では、前面枠１３０の軸中心と、ガラス扉４０の軸中心とは互いに同じ位置である。例えばこれらの軸中心をずらすことによって、ガラス扉４０を前方に付勢する為の弾性部材４８（図７参照）を無くすことができる。図１１は、前面枠２３０を開いた場合におけるガラス扉２４０の挙動を示している。なお図１１に示す中枠１２、遊技盤２、前面枠２３０、及びガラス扉２４０は、実際の具体的形状を示すものはではなく、互いの位置関係を便宜的に示す為に形状を簡素化している。
【００４７】
中枠１２には遊技盤２が固定されている。前面枠２３０は、中枠１２の左端側に対して回動可能に軸支されている。ガラス扉２４０は、前面枠２３０の左端側に対して回動可能に軸支されている。前面枠２３０の軸中心９１に対して、ガラス扉２４０の軸中心９２はガラス扉２４０の自由端（右端）側にずれている。
【００４８】
ＳＴＥＰ１は、前面枠２３０を中枠１２に対して閉じた状態である。上記実施形態と同様に、前面枠２３０はガラス扉２４０を中枠１２に押し当てた状態で中枠１２に固定されている。この状態における遊技盤２の盤面と、ガラス扉２４０のガラス板との離間距離は例えばＢ１である。
【００４９】
ＳＴＥＰ２は、前面枠２３０を中枠１２に対して４０°開いた状態である。前面枠２３０を開いただけではガラス扉２４０は回動しない。しかしながら前面枠２３０が回動することによって軸中心９２は徐々に前方に移動する。よって、ガラス扉２４０は遊技盤２の盤面から徐々に離間する。ガラス扉２４０と遊技盤２とを互いに平行にした場合に、ガラス扉２４０のガラス板との離間距離はＢ２である。Ｂ２はＢ１よりも長い。Ｂ２は、少なくとも遊技盤２とガラス扉４０との間から遊技球が落下しない程度の距離である。遊技盤２の盤面とガラス扉４０のガラス板との離間距離がＢ１からＢ２に変化するので、ガラス扉２４０のガラス板と遊技盤２のとの間に詰まった遊技球の位置関係が変化する。これにより例えば前面枠２３０を中枠１２に対して４０°開いた状態であれば、遊技球を紛失することなく、遊技盤２における球詰まりを自動的に解除できる。
【００５０】
ＳＴＥＰ３は、前面枠２３０を中枠１２に対して９０°開いた状態である。このとき軸中心９２は軸中心９１から前方に最も離れる。よって、ガラス扉２４０のガラス板は遊技盤２の盤面から最も離間する。ガラス扉２４０と遊技盤２とを互いに平行にした場合に、ガラス扉２４０のガラス板との離間距離はＢ３である。Ｂ３はＢ２よりも更に長い。例えば、Ｂ３を少なくとも遊技盤２とガラス扉４０との間から遊技球が落下しない程度の距離にしてもよい。例えばガラス扉２４０と遊技盤２とを互いに平行にする為に、中枠１２に回動制限部材９５を設けてもよい。回動制限部材９５は、例えば前面枠２３０を中枠１２に対して９０°開き、ガラス扉２４０を遊技盤２に対して平行にした場合のガラス扉２４０の前面に係止する。これにより前面枠２３０の回動角度に関係なく、ガラス扉２４０のガラス板との離間距離はＢ３を超えない。ホール作業者は、前面枠２３０の回動角度を気にすることなく、遊技盤２における球詰まりを自動的に解除できる。
【００５１】
第３変形例について、図１２を参照して説明する。上記実施形態では、表枠１６は１枚のガラス板４１を保持している。ガラス板４１はガラス扉４０によって保持されている。第３変形例のパチンコ機３００は二枚のガラス板を保持する。前面枠３０の裏面側には、ガラス板１４１が取り付けられている。それ故、遊技盤２の前面側は、ガラス扉４０のガラス板４１と、前面枠３０に取り付けられたガラス板１４１とによって保護される。ガラス板１４１はガラス板４１の前側に位置するので、ガラス板４１を保護できる。二枚のガラス板４１，１４１で遊技盤２を保護できるので、例えばガラス板４１を薄くして軽量化することも可能である。ガラス板４１が薄くなることで、振動を付与し易くなるので、ガラス板４１に接触する遊技球に振動を付与し易くなる。それ故、遊技球の詰まりを簡単に解消できる。
【００５２】
なお、本発明は上記変形例以外にも種々の変更が可能である。例えば、本発明は、封入式のパチンコ機の他に、封入式のアレンジボール遊技機、雀球遊技機等の弾球遊技機にも適用可能である。
【００５３】
また上記実施形態では、ガラス扉４０はガラス板４１を保持しているが、ガラス板４１の代わりに例えば透明な樹脂部材であってもよい。また透明であれば材質、形状、色等については限定しない。
【００５４】
また上記実施形態では、封入式のパチンコ機１として、操作ユニット１５を備えているが、操作ユニット１５の形状、構造等についても上記実施形態に限定されるものではない。さらに遊技球を発射する為の発射ハンドル１４についても、ハンドル形式以外のもの（例えばボタン式、タッチ式等）でもよい。
【００５５】
また上記実施形態において、外枠１１、中枠１２、表枠１６、前面枠３０、ガラス扉４０の各名称は説明の便宜上のものであり、これら以外の名称で使用されているものにも当然に適用可能である。
【００５６】
また上記実施形態では、ガラス扉４０の前方への移動を制限する為に、回動制限部材７０を中枠１２の前面上部に設けているが、回動制限部材７０の位置はこれに限定されない。例えば、回動制限部材７０を中枠１２の自由端部、下端部に設けることもできる。さらに回動制限部材７０の形状はこれに限定されず、例えばガラス扉４０に係止する突起状の部分を備えるものでもよい。
【００５７】
また上記実施形態では、外枠１１と中枠１２が別体であるが、一体の基礎枠として備え、基礎枠に対して表枠を開閉可能に取り付けるものでもよい。
【００５８】
また上記実施形態では、ガラス扉４０に取り付けている弾性部材４８は、保持枠４２の右端部に沿って長く設けているが、例えば一部分、又は複数部分に設けてもよい。形状についても限定されない。
【符号の説明】
【００５９】
１  パチンコ機
２  遊技盤
１１  外枠
１２  中枠
１６  表枠
２４  上ヒンジ
２６  軸ピン
２７  中ヒンジ
２８  軸ピン
３０  前面枠
３１  穴部
３３  軸支端部
３４  軸支部
３４Ａ  軸支穴
３４Ｂ  軸ピン
３５  軸支部
３５Ａ  軸支穴
３５Ｂ  軸ピン
４０  ガラス扉
４１  ガラス板
４３  支持部
４４  軸支端部
４５，４６  軸支穴
４８  弾性部材
５０  取付板
７０  回動制限部材
７３  係止部
１３０  前面枠
１４１  ガラス板
２３０  前面枠
２４０  ガラス扉
３００  パチンコ機
【図１】
0005967695.tif 000002
【図２】
0005967695.tif 000003
【図３】
0005967695.tif 000004
【図４】
0005967695.tif 000005
【図５】
0005967695.tif 000006
【図６】
0005967695.tif 000007
【図７】
0005967695.tif 000008
【図８】
0005967695.tif 000009
【図９】
0005967695.tif 000010
【図１０】
0005967695.tif 000011
【図１１】
0005967695.tif 000012
【図１２】
0005967695.tif 000013